(57)【要約】【課題】検出素子とコリメータ板とをより高精度に位置合せする。【解決手段】複数のコリメータ板を有するコリメータモジュールの各々を、放射線照射方向に沿って延びる一対の整合ピンを有する構成とし、一対のレールに、上記一対の整合ピンの一端部が嵌合する凹穴または凹溝を形成し、複数の検出素子を有する検出器モジュールの各々を、上記一対の整合ピンの他端部が嵌合する凹穴または貫通孔を有する構成とする。すなわち、フレームに対するコリメータモジュールおよび検出器モジュールの位置決めを、コリメータモジュールに設けた整合ピンという同一の基準を用いて行う。【選択図】図６
2014042732.tif 000002
【特許請求の範囲】
【請求項１】
チャネル方向に延びる一対のレールと、
前記一対のレールにチャネル方向に配設されており、それぞれが、チャネル方向に配列された複数のコリメータ板を有している、複数のコリメータモジュールと、
前記複数のコリメータモジュールの放射線出射側にチャネル方向に配設されており、それぞれが、チャネル方向に配列された複数の検出素子を有している複数の検出器モジュールとを備えた放射線検出装置であって、
前記コリメータモジュールの各々は、放射線照射方向に沿って延びる一対の整合ピンを有しており、
前記一対のレールにおける前記コリメータモジュールの各々の載置面には、前記一対の整合ピンの一端部が嵌合する凹穴または凹溝が形成されており、
前記検出器モジュールの各々は、前記一対の整合ピンの他端部が嵌合する凹穴または貫通孔を有している放射線検出装置。
【請求項２】
前記一対の整合ピンの一端部が嵌合する凹穴または凹溝は、前記一対のレールを構成する部材を掘削することにより形成されている請求項１に記載の放射線検出装置。
【請求項３】
前記コリメータモジュールの各々は、前記一対の整合ピンの一端部が前記一対のレールの凹穴または凹溝に嵌合した状態にて、前記一対のレールにネジ止めされている請求項１または請求項２に記載の放射線検出装置。
【請求項４】
前記検出器モジュールの各々は、前記一対の整合ピンの他端部が前記検出器モジュールの各々の凹穴または貫通孔に嵌合した状態にて、前記一対のレールにネジ止めされている請求項１から請求項３に記載の放射線検出装置。
【請求項５】
前記一対の整合ピンは、前記コリメータモジュールの各々のチャネル方向における中央近傍であって、該中央からチャネル方向にずれた位置に設けられている請求項１から請求項４のいずれか一項に記載の放射線検出装置。
【請求項６】
前記コリメータモジュールの各々は、前記複数のコリメータ板をスライス方向に挟んで支持する一対のブロックを有しており、
前記一対の整合ピンは、前記一対のブロックに設けられている請求項１から請求項５のいずれか一項に記載の放射線検出装置。
【請求項７】
前記一対の整合ピンは、前記一対のブロックに形成された貫通孔に圧入されて固定されている請求項６に記載の放射線検出装置。
【請求項８】
前記一対のレールは、スライス方向に互いに対向する平面を有しており、
前記凹溝は、前記載置面および前記平面を掘削することにより形成されている請求項１から請求項７のいずれか一項に記載の放射線検出装置。
【請求項９】
前記検出器モジュールの各々は、前記複数の検出素子と該複数の検出素子からの出力信号を処理する信号処理部とを支持する支持体を有しており、
前記検出器モジュールの各々の凹穴または貫通孔は、前記支持体に形成されている請求項１から請求項８のいずれか一項に記載の放射線検出装置。
【請求項１０】
チャネル方向に延びる一対のレールと、
前記一対のレールにチャネル方向に配設されており、それぞれが、チャネル方向に配列された複数のコリメータ板を有している、複数のコリメータモジュールと、
前記複数のコリメータモジュールの放射線出射側にチャネル方向に配設されており、それぞれが、チャネル方向に配列された複数の検出素子を有している複数の検出器モジュールとを備えた放射線検出装置を含む放射線撮影装置であって、
前記コリメータモジュールの各々は、放射線照射方向に沿って延びる一対の整合ピンを有しており、
前記一対のレールにおける前記コリメータモジュールの各々の載置面には、前記一対の整合ピンの一端部が嵌合する凹穴または凹溝が形成されており、
前記検出器モジュールの各々は、前記一対の整合ピンの他端部が嵌合する凹穴または貫通孔を有している放射線撮影装置。
【請求項１１】
前記一対の整合ピンの一端部が嵌合する凹穴または凹溝は、記一対のレールを構成する部材を掘削することにより形成されている請求項１０に記載の放射線撮影装置。
【請求項１２】
前記コリメータモジュールの各々は、前記一対の整合ピンの一端部が前記一対のレールの凹穴または凹溝に嵌合した状態にて、前記一対のレールにネジ止めされている請求項１０または請求項１１に記載の放射線撮影装置。
【請求項１３】
前記検出器モジュールの各々は、前記一対の整合ピンの他端部が前記検出器モジュールの各々の凹穴または貫通孔に嵌合した状態にて、前記一対のレールにネジ止めされている請求項１０から請求項１２のいずれか一項に記載の放射線撮影装置。
【請求項１４】
前記一対の整合ピンは、前記コリメータモジュールの各々のチャネル方向における中央近傍であって、該中央からチャネル方向にずれた位置に設けられている請求項１０から請求項１３のいずれか一項に記載の放射線撮影装置。
【請求項１５】
前記コリメータモジュールの各々は、前記複数のコリメータ板をスライス方向に挟んで支持する一対のブロックを有しており、
前記一対の整合ピンは、前記一対のブロックに設けられている請求項１０から請求項１４のいずれか一項に記載の放射線撮影装置。
【請求項１６】
前記一対の整合ピンは、前記一対のブロックに形成された貫通孔に圧入されて固定されている請求項１５に記載の放射線撮影装置。
【請求項１７】
前記一対のレールは、スライス方向に互いに対向する平面を有しており、
前記凹溝は、前記載置面および前記平面を掘削することにより形成されている請求項１０から請求項１６のいずれか一項に記載の放射線撮影装置。
【請求項１８】
前記検出器モジュールの各々は、前記複数の検出素子と該複数の検出素子からの出力信号を処理する信号処理部とを支持する支持体を有しており、
前記検出器モジュールの各々の凹穴または貫通孔は、前記支持体に形成されている請求項１０から請求項１７のいずれか一項に記載の放射線撮影装置。
【請求項１９】
放射線断層撮影を行う請求項１０から請求項１８のいずれか一項に記載の放射線撮影装置。
【発明の詳細な説明】
【技術分野】
【０００１】
本発明は、放射線検出装置および放射線撮影装置に関し、詳しくは、コリメータ（collimator）と検出器との位置合せ技術に関する。
【背景技術】
【０００２】
Ｘ線ＣＴ（Computed Tomography）装置は、Ｘ線源およびＸ線検出装置を備えている。Ｘ線検出装置は、複数の検出素子により構成される検出器と、複数のコリメータ板により構成される散乱線除去用のコリメータとを備えている。
【０００３】
検出素子のＸ線入射効率や検出特性をよくするには、検出素子とコリメータ板とを高精度に位置合せする必要がある。
【０００４】
一方、従来は、コリメータ板を、レール（rail）に取付けられた櫛状のコリメータ板保持部のスリット（slit）に挿入して位置決めするとともに、検出器モジュール（module）を、レールに形成された別のスロット（slot）にピン（pin）を介して位置決めする手法を採っている（例えば、特許文献１、図３，図４，図７等参照）。
【先行技術文献】
【特許文献】
【０００５】
【特許文献１】特開２００２−３２８１７５号公報
【発明の概要】
【発明が解決しようとする課題】
【０００６】
上記の手法では、コリメータ板の位置決め基準と、検出素子の位置決め基準とが、それぞれ別に設けられている。そのため、それぞれの位置決めに公差が累積し、検出素子とコリメータ板との位置ずれが起こり易くなっており、位置合せの高精度化に限界を与えている。
【０００７】
このような事情により、検出素子とコリメータ板とをより高精度に位置合せすることができる技術が望まれている。
【課題を解決するための手段】
【０００８】
第１の観点の発明は、
チャネル（channel）方向に延びる一対のレールと、
前記一対のレールにチャネル方向に配設されており、それぞれが、チャネル方向に配列された複数のコリメータ板を有している、複数のコリメータモジュールと、
前記複数のコリメータモジュールの放射線出射側にチャネル方向に配設されており、それぞれが、チャネル方向に配列された複数の検出素子を有している複数の検出器モジュールとを備えた放射線検出装置であって、
前記コリメータモジュールの各々が、放射線照射方向に沿って延びる一対の整合ピンを有しており、
前記一対のレールにおける前記コリメータモジュールの各々の載置面には、前記一対の整合ピンの一端部が嵌合する凹穴または凹溝が形成されており、
前記検出器モジュールの各々が、前記一対の整合ピンの他端部が嵌合する凹穴または貫通孔を有している放射線検出装置を提供する。
【０００９】
第２の観点の発明は、
前記一対の整合ピンの一端部が嵌合する凹穴または凹溝は、前記一対のレールを構成する部材を掘削することにより形成されている上記第１の観点の放射線検出装置を提供する。
【００１０】
第３の観点の発明は、
前記コリメータモジュールの各々が、前記一対の整合ピンの一端部が前記一対のレールの凹穴または凹溝に嵌合した状態にて、前記一対のレールにネジ止めされている上記第１の観点または第２の観点の放射線検出装置を提供する。
【００１１】
第４の観点の発明は、
前記検出器モジュールの各々が、前記一対の整合ピンの他端部が前記検出器モジュールの各々の凹穴または貫通孔に嵌合した状態にて、前記一対のレールにネジ止めされている上記第１の観点から第３の観点のいずれか一つの観点の放射線検出装置を提供する。
【００１２】
第５の観点の発明は、
前記一対の整合ピンが、前記コリメータモジュールの各々のチャネル方向における中央近傍であって、該中央からチャネル方向にずれた位置に設けられている上記第１の観点から第４の観点のいずれか一つの観点の放射線検出装置を提供する。
【００１３】
第６の観点の発明は、
前記コリメータモジュールの各々が、前記複数のコリメータ板をスライス（slice）方向に挟んで支持する一対のブロック（block）を有しており、
前記一対の整合ピンが、前記一対のブロックに設けられている上記第１の観点から第５の観点のいずれか一つの観点の放射線検出装置を提供する。
【００１４】
第７の観点の発明は、
前記一対の整合ピンが、前記一対のブロックに形成された貫通孔に圧入されて固定されている上記第６の観点の放射線検出装置を提供する。
【００１５】
第８の観点の発明は、
前記一対のレールが、スライス方向に互いに対向する平面を有しており、
前記凹溝が、前記載置面および前記平面を掘削することにより形成されている上記第１の観点から第７の観点のいずれか一つの観点の放射線検出装置を提供する。
【００１６】
第９の観点の発明は、
前記検出器モジュールの各々が、前記複数の検出素子と該複数の検出素子からの出力信号を処理する信号処理部とを支持する支持体を有しており、
前記検出器モジュールの各々の凹穴または貫通孔が、前記支持体に形成されている上記第１の観点から第７の観点のいずれか一つの観点の放射線検出装置を提供する。
【００１７】
第１０の観点の発明は、
チャネル方向に延びる一対のレールと、
前記一対のレールにチャネル方向に配設されており、それぞれが、チャネル方向に配列された複数のコリメータ板を有している、複数のコリメータモジュールと、
前記複数のコリメータモジュールの放射線出射側にチャネル方向に配設されており、それぞれが、チャネル方向に配列された複数の検出素子を有している複数の検出器モジュールとを備えた放射線検出装置を含む放射線撮影装置であって、
前記コリメータモジュールの各々が、放射線照射方向に沿って延びる一対の整合ピンを有しており、
前記一対のレールにおける前記コリメータモジュールの各々の載置面には、前記一対の整合ピンの一端部が嵌合する凹穴または凹溝が形成されており、
前記検出器モジュールの各々が、前記一対の整合ピンの他端部が嵌合する凹穴または貫通孔を有している放射線撮影装置を提供する。
【００１８】
第１１の観点の発明は、
前記一対の整合ピンの一端部が嵌合する凹穴または凹溝は、前記一対のレールを構成する部材を掘削することにより形成されている上記第１０に記載の放射線検出装置を提供する。
【００１９】
第１２の観点の発明は、
前記コリメータモジュールの各々が、前記一対の整合ピンの一端部が前記一対のレールの凹穴または凹溝に嵌合した状態にて、前記一対のレールにネジ止めされている上記第１１の観点の放射線撮影装置を提供する。
【００２０】
第１３の観点の発明は、
前記検出器モジュールの各々が、前記一対の整合ピンの他端部が前記検出器モジュールの各々の凹穴または貫通孔に嵌合した状態にて、前記一対のレールにネジ止めされている上記第９の観点または第１２の観点の放射線撮影装置を提供する。
【００２１】
第１４の観点の発明は、
前記一対の整合ピンが、前記コリメータモジュールの各々のチャネル方向における中央近傍であって、該中央からチャネル方向にずれた位置に設けられている上記第１０の観点から第１３の観点のいずれか一つの観点の放射線撮影装置を提供する。
【００２２】
第１５の観点の発明は、
前記コリメータモジュールの各々が、前記複数のコリメータ板をスライス方向に挟んで支持する一対のブロックを有しており、
前記一対の整合ピンが、前記一対のブロックに設けられている上記第１０の観点から第１４の観点のいずれか一つの観点の放射線撮影装置を提供する。
【００２３】
第１６の観点の発明は、
前記一対の整合ピンが、前記一対のブロックに形成された貫通孔に圧入されて固定されている上記第１５の観点の放射線撮影装置を提供する。
【００２４】
第１７の観点の発明は、
前記一対のレールが、スライス方向に互いに対向する平面を有しており、
前記凹溝が、前記載置面および前記平面を掘削することにより形成されている上記第１０の観点から第１６の観点のいずれか一つの観点の放射線撮影装置を提供する。
【００２５】
第１８の観点の発明は、
前記検出器モジュールの各々が、前記複数の検出素子と該複数の検出素子からの出力信号を処理する信号処理部とを支持する支持体を有しており、
前記検出器モジュールの各々の凹穴または貫通孔が、前記支持体に形成されている上記第１０の観点から第１７の観点のいずれか一つの観点の放射線撮影装置を提供する。
【００２６】
第１９の観点の発明は、
放射線断層撮影を行う上記第１０の観点から第１８の観点のいずれか一つの観点の放射線撮影装置を提供する。
【発明の効果】
【００２７】
上記観点の発明によれば、互いに対応するコリメータモジュールと検出器モジュールとを、同一の整合ピンを基準に位置決めするので、それぞれの位置決めにおける公差の累積を防ぐことができ、検出素子とコリメータ板とをより高精度に位置合せすることができる。
【図面の簡単な説明】
【００２８】
【図１】本実施形態に係るＸ線ＣＴ装置の構成を概略的に示す図である
【図２】走査ガントリ（gantry）の構成を概略的に示す図である。
【図３】コリメータモジュールの構成を示す図である。
【図４】検出器モジュールの構成を示す図である。
【図５】コリメータモジュールが整合ピンを用いて位置決めされる様子を示す図である。
【図６】検出器モジュールが整合ピンを用いて位置決めされる様子を示す図である。
【図７】コリメータモジュールおよび検出器モジュールがレールに対して位置決めされた様子を示す図である。
【発明を実施するための形態】
【００２９】
以下、発明の実施形態について説明する。
【００３０】
図１は、本実施形態に係るＸ線ＣＴ装置の構成を概略的に示す図である。図１に示すように、Ｘ線ＣＴ装置１は、撮影対象である被検体９をスキャン（scan）して投影データ（data）を収集する走査ガントリ２と、被検体９を走査ガントリ２のボア（bore）に搬送する撮影テーブル（table）３とを有している。さらに、Ｘ線ＣＴ装置１は、Ｘ線ＣＴ装置１を構成する各部を制御してスキャンを行ったり、スキャンによって収集された投影データを基に画像を再構成したりする操作コンソール（console）４を有している。
【００３１】
撮影テーブル３は、被検体を載せるクレードル（cradle）を有しており、そのクレードルを昇降および水平直線移動させる。
【００３２】
操作コンソール４は、操作者からの入力を受け付ける入力装置と、画像を表示するモニタとを有している。また、操作コンソール４は、その内部に被検体の投影データを収集するための各部の制御や３次元画像再構成処理等を行う中央処理装置と、走査ガントリ２で取得したデータを収集するデータ収集バッファ（buffer）と、プログラム（program）やデータ等を記憶する記憶装置とを有している。
【００３３】
走査ガントリ２は、被検体９の周りを回転する円環状の回転部１０を有している。回転部１０には、ボアを挟んで互いに対向するよう配置されたＸ線管１１およびＸ線検出装置２０が搭載されている。Ｘ線検出装置２０は、図中のチャネル方向（ＣＨ方向）に延びる湾曲した形状を有している。スキャンは、回転部１０を回転させながら、Ｘ線管１１のＸ線焦点１２から放射方向（Ｉ方向）にＸ線１３を照射し、被検体９を透過したＸ線をＸ線検出装置２０にて検出することにより行われる。なお、ここでは、回転部１０の回転面に平行であり、照射される扇状のＸ線の広がり方向（ファン角（fan angle）方向）をチャネル方向（ＣＨ方向）とし、回転部１０の回転軸方向をスライス方向（ＳＬ方向）とする。
【００３４】
図２は、Ｘ線検出装置の構成を概略的に示す図である。図２に示すように、Ｘ線検出装置２０は、フレーム（frame）（支持部）３０と、コリメータ（collimator）装置４０と、Ｘ線検出器５０とを有している。フレーム３０は、コリメータ装置４０およびＸ線検出器５０を基準位置に固定して支持するためのものである。コリメータ装置４０は、Ｘ線管１１のＸ線焦点１２から照射されるＸ線１３をコリメートし、主に散乱線を除去するためのものである。Ｘ線検出器５０は、Ｘ線管１１のＸ線焦点１２から照射され、被検体９を透過したＸ線１３を検出するためのものである。Ｘ線検出器５０は、コリメータ装置４０のＸ線出射側に配置されている。
【００３５】
フレーム３０は、Ｉ方向に見たときに矩形となる枠形状を有している。フレーム３０は、トップ（top）側レール３１およびボトム（bottom）側レール３２（一対のレール）と、一対の連結部３３とを有している。トップ側レール３１およびボトム側レール３２は、ともに、ＣＨ方向に延びる円弧形状を有している。トップ側レール３１およびボトム側レール３２は、ＳＬ方向に互いに間隔をおいて配置されており、ＣＨ方向の両端部において連結部３３を介して互いに連結・固定されている。トップ側レール３１およびボトム側レール３２は、ＳＬ方向において面対称となるように形成されている。トップ側レール３１およびボトム側レール３２は、例えば、アルミニウム（Al：aluminum）、ステンレス（）（SUS：stainless）、カーボン（C：carbon）など、剛性の高い部材により構成されている。
【００３６】
コリメータ装置４０は、ＣＨ方向に沿って配列された複数のコリメータモジュール４１により構成されている。
【００３７】
Ｘ線検出器５０は、ＣＨ方向に沿って配列された複数の検出器モジュール５１により構成されている。
【００３８】
図３は、コリメータモジュールの構成を示す図である。図３（ａ）は、コリメータモジュール４１をＸ線出射側から見た斜視図であり、図３（ｂ）は、コリメータモジュール４１をＸ線入射側から見た斜視図である。
【００３９】
図３に示すように、コリメータモジュール４１は、ＣＨ方向に配列された複数のコリメータ板４２と、これら複数のコリメータ板をＳＬ方向に挟んで支持するトップ側ブロック４３およびボトム側ブロック４４とにより構成されている。トップ側ブロック４３のＣＨ方向における中央近傍には、トップ側整合ピン４５が設けられている。同様に、ボトム側ブロック４４のＣＨ方向における中央近傍には、ボトム側整合ピン４６が設けられている。トップ側およびボトム側整合ピン４５，４６は、Ｉ方向に沿って延びる略円柱形状を有している。トップ側およびボトム側整合ピン４５，４６は、トップ側およびボトム側ブロック４３，４４のＣＨ方向における中央に形成された貫通孔に圧入されて固定されている。コリメータ板４２は、例えば、タングステン（W：tungsten）やモリブデン（Mo：molybdenum）など、Ｘ線吸収率が高い重金属により構成される。また、トップ側およびボトム側ブロック４３，４４およびトップ側およびボトム側整合ピン４５，４６は、例えば、ステンレスやアルミニウム等により構成されている。なお、コリメータモジュール４１は、例えば、ＣＨ方向に３２セル分の検出素子を区分するように構成される。
【００４０】
図４は、検出器モジュールの構成を示す図である。図４（ａ）は、検出器モジュール５１をＸ線出射側から見た斜視図であり、図４（ｂ）は、検出器モジュール５１をＸ線入射側から見た斜視図である。
【００４１】
図４に示すように、検出器モジュール５１は、ＣＨ方向およびＳＬ方向に２次元的に配列された複数の検出素子５２と、これら複数の検出素子５２を支持する支持体５３とにより構成されている。この支持体５３には、複数の検出素子５２の出力信号を処理する信号処理部が固定される場合がある。支持体５３のＳＬ方向における両端部においては、コリメータモジュール５１をトップ側およびボトム側レール３１，３２に取り付けるためのトップ側取付け孔５６およびボトム側取付け孔５７が形成されている。また、支持体５３のＳＬ方向における両端寄りであってＣＨ方向における中央近傍である位置に、トップ側およびボトム側整合ピン４５，４６が嵌合するトップ側およびボトム側整合孔５４，５５が形成されている。検出素子５２の配列ピッチは、例えば１ｍｍである。検出素子５２は、例えば、Ｘ線１３を受けて発光するシンチレータ（scintillator）素子と、光電変換を行うフォトダイオード（photo diode）とから構成されている。支持体５３は、例えばステンレスやアルミニウム等により構成される。検出器モジュール５１は、例えば、ＣＨ方向に３２セル、ＳＬ方向に６４セル分の検出素子５２を配列して構成される。
【００４２】
図５は、コリメータモジュールが整合ピンを用いて位置決めされる様子を示す図である。この図は、トップ側およびボトム側レール３１，３２をＸ線出射側から見たときの斜視図として表されている。
【００４３】
図５に示すように、トップ側レール３１には、階段状に、トップ側第１平面３１１、トップ側第１曲面３１２、トップ側第２平面３１３、トップ側第２曲面３１４が形成されている。同様に、ボトム側レール３２にも、階段状に、ボトム側第１平面３２１（不図示）、ボトム側第１曲面３２２（不図示）、ボトム側第２平面３２３（不図示）、ボトム側第２曲面３２４が形成されている。トップ側およびボトム側第１平面３１１，３２１と、トップ側およびボトム側第２平面３１３，３２３とは、Ｘ線放射方向であるＩ方向と略平行である。また、トップ側およびボトム側レール３１，３２におけるトップ側およびボトム側第１平面３１１，３２１同士、トップ側およびボトム側第２平面３１３，３２３同士は、ＳＬ方向において互いに対向するように形成されている。トップ側およびボトム側第１曲面３１２，３２２は、コリメータモジュール５１が載置される載置面である。
【００４４】
トップ側およびボトム側第１平面３１１，３２１およびトップ側およびボトム側第１曲面３１２，３２２には、コリメータモジュール４１に設けられたトップ側およびボトム側整合ピン４５，４６が嵌合するトップ側およびボトム側凹溝３４，３５（３５は不図示）が、ＣＨ方向に間隔を置いて複数形成されている。トップ側およびボトム側第１曲面３１２，３２２には、コリメータモジュール４１をネジ止めするための複数のトップ側およびボトム側第１ネジ穴３６１，３７１（３７１は不図示）が形成されている。また、トップ側およびボトム側第２曲面３１４，３２４には、検出器モジュール５１をネジ止めするための複数のトップ側およびボトム側第２ネジ穴３６２，３７２が形成されている。なお、これらの凹溝やネジ穴は、トップ側レール３１およびボトム側レール３２を構成する部材をドリル等で高精度に掘削することにより形成されている。これらの凹溝やネジ穴が形成された別部品をトップ側レール３１およびボトム側レール３２に取り付けてもよいが、レールを直接掘削した方が剛性が高い。
【００４５】
コリメータモジュール４１は、トップ側整合ピン４５およびボトム側整合ピン４６のＸ線入射側端部が、トップ側およびボトム側凹溝３４，３５に嵌合するようにして配置される。これにより、コリメータモジュール４１は、トップ側レール３１およびボトム側レール３２に対して位置決めされる。そして、コリメータモジュール４１は、この状態にて、トップ側およびボトム側第１ネジ穴３６１，３７１にネジ止めされる。
【００４６】
図６は、検出器モジュールが整合ピンを用いて位置決めされる様子を示す図である。この図は、図５と同様に、トップ側およびボトム側レール３１，３２をＸ線出射側から見たときの斜視図として表されている。
【００４７】
検出器モジュール５１は、トップ側整合ピン４５およびボトム側整合ピン４６のＸ線出射側端部が、検出器モジュール５１のトップ側およびボトム側整合孔５４，５５に嵌合するようにして配置される。これにより、検出器モジュール５１は、トップ側レール３１およびボトム側レール３２に対して位置決めされる。そして、検出器モジュール５１は、この状態にて、トップ側およびボトム側第２ネジ穴３６２，３７２にネジ止めされる。
【００４８】
図７は、コリメータモジュールおよび検出器モジュールがレールに対して位置決めされた様子を示す図である。この図は、トップ側レール３１およびボトム側レール３２をＳＬ方向に見たとき図として表されている。
【００４９】
コリメータモジュール４１と検出器モジュール５１とは、それぞれが位置決めされたときに、コリメータ板４２が検出素子５２をＣＨ方向において高精度に区分するよう、設計されている。ただし、コリメータモジュール４１を、検出器モジュール５１のＣＨ方向における検出素子５２の両端部に対応する位置のいずれにもコリメータ板４２が配置されてしまうと、検出器モジュール５１同士のつなぎ目において、コリメータ板４２が重なってしまう。そこで、実際には、コリメータモジュール４１を、検出器モジュール５１のＣＨ方向におけ検出素子５２の両端部に対応する位置の一方側だけに、コリメータ板４２が配置されるように設計する。一方、検出器モジュール５１のトップ側およびボトム側整合孔５４，５５は、設計のし易さなどから、検出器モジュール５１のＣＨ方向における中央に配置される。そのため、コリメータモジュール４１のトップ側およびボトム側整合ピン４５，４６は、コリメータモジュール４１すなわちトップ側およびボトム側ブロック４３，４４のＣＨ方向における中央近傍であって、その中央からＣＨ方向に若干ずれた位置に配置される。
【００５０】
以上、本実施形態によれば、互いに対応するコリメータモジュール４１と検出器モジュール５１とを、同一のトップ側およびボトム側整合ピン４５，４６を基準に位置決めするので、それぞれの位置決めにおける公差の累積を防ぐことができ、検出素子５２とコリメータ板４２とをより高精度に位置合せすることができる。
【００５１】
なお、発明は、本実施形態に限定されず、発明の趣旨を逸脱しない範囲において、種々の実施形態を採ることができる。
【００５２】
例えば、トップ側およびボトム側第１平面３１１，３２１に形成されたトップ側およびボトム側凹溝３４，３５は、これに代えて、柱状の凹穴としてもよい。
【００５３】
また例えば、検出器モジュール５１に形成された、トップ側およびボトム側整合ピン４５，４６のＸ線出射側端部に嵌合するトップ側およびボトム側整合孔５４，５５は、貫通孔に代えて、エンドのある凹穴としてもよい。
【００５４】
また例えば、トップ側およびボトム側整合ピン４５，４６の断面形状は、真円形だけでなく、楕円形、多角形等であってもよい。
【００５５】
また例えば、コリメータモジュール４１は、コリメータ板４２がＣＨ方向およびＳＬ方向に格子状に配列された２次元コリメータモジュールであってもよい。
【００５６】
また例えば、発明は、Ｘ線を用いる装置に限定されず、他の放射線、例えばＳＰＥＣＴ装置のように、γ（ガンマ）線を用いる装置にも適用可能である。
【符号の説明】
【００５７】
１  Ｘ線ＣＴ装置
２  走査ガントリ
３  撮影テーブル
４  操作コンソール
９  被検体
１０  回転部
１１  Ｘ線管
１２  Ｘ線焦点
１３  Ｘ線
２０  Ｘ線検出装置
３０  フレーム
３１  トップ側レール
３１１  トップ側第１平面
３１２  トップ側第２平面
３１３  トップ側第１曲面
３１４  トップ側第２曲面
３２  ボトム側レール
３２１  ボトム側第１平面
３２２  ボトム側第２平面
３２３  ボトム側第１曲面
３２４  ボトム側第２曲面
３３  連結部
３４  トップ側凹溝
３５  ボトム側凹溝
３６１  トップ側第１ネジ穴
３６２  トップ側第２ネジ穴
３７１  ボトム側第１ネジ穴
３７２  ボトム側第２ネジ穴
４０  コリメータ装置
４１  コリメータモジュール
４２  コリメータ板
４３  トップ側ブロック
４４  ボトム側ブロック
４５  トップ側整合ピン
４６  ボトム側整合ピン
４７  トップ側取付け孔
４８  ボトム側取付け孔
５０  Ｘ線検出器
５１  検出器モジュール
５２  検出素子
５３  支持体
５４  トップ側整合孔
５５  ボトム側整合孔
５６  トップ側取付け孔
５７  ボトム側取付け孔
【図１】
2014042732.tif 000003
【図２】
2014042732.tif 000004
【図３】
2014042732.tif 000005
【図４】
2014042732.tif 000006
【図５】
2014042732.tif 000007
【図６】
2014042732.tif 000008
【図７】
2014042732.tif 000009